(57)【要約】【課題】医療検査機器の本来的な機能をそのままに、医療検査機器稼働履歴の容易な作成と、確実な管理を可能とする医療検査機器稼働履歴管理システムを提供する。【解決手段】医療検査機器稼働履歴管理システム１は、医療検査機器２の機器識別情報１１ａを有する機器用識別媒体１１と、患部の患部識別情報１２ａを有する患部識別媒体１２と、各識別情報１１ａ、１２ｂを読み取り順に記憶可能であり、日時情報を関連付けるとともに機器識別情報１１ａの始めの読み取りで検査開始情報を関連付け、次の読み取りで検査終了情報を関連付ける端末装置５と、端末装置５から各情報を収集し、検査開始情報と検査終了情報との間に挟まれ記憶される識別情報１１ａ、１２ｂに基づいて医療検査機器２の稼働時間、患部を判別して稼働履歴として管理する医療機器稼働履歴サーバー６と、を備える。【選択図】  図２
2014029637.tif 000002
【特許請求の範囲】
【請求項１】
医療検査機器の稼働履歴を記録する医療検査機器稼働履歴管理システムにおいて、
前記医療検査機器を個別に識別する機器識別情報を有する機器用識別媒体と、
前記医療検査機器で検査する患部を個別に識別する患部識別情報を有する患部識別媒体と、
前記医療検査機器とは個別に取り扱われ、かつ前記各媒体から前記各識別情報を読み取り順に記憶可能であり、前記各識別情報のうち少なくとも前記機器識別情報を読み取ったときには日時情報を関連付けるとともに前記機器識別情報の始めの読み取りで検査開始情報を関連付け、前記機器識別情報の次の読み取りで検査終了情報を関連付けて記憶する端末装置と、
電気通信回線を介して前記端末装置から前記各識別情報、前記日時情報、前記検査開始情報、前記検査終了情報を収集し、前記検査開始情報に関連付けられる前記日時情報と前記検査終了情報に関連付けられる前記日時情報との時間差が予め定める所定の時間以内の場合には、前記検査開始情報に関連付けられる前記機器識別情報と前記検査終了情報に関連付けられる前記機器識別情報との間に挟まれ記憶される前記各識別情報に基づいて前記医療検査機器の稼働時間、前記稼働時間に関連付けられる前記医療検査機器、前記患部を判別して前記稼働履歴として管理する医療機器稼働履歴サーバーと、を備える医療検査機器稼働履歴管理システム。
【請求項２】
前記医療検査機器を使用して前記患部を検査する検査者を個別に識別する検査者識別情報を有する検査者識別媒体を備える請求項１に記載の医療検査機器稼働履歴管理システム。
【請求項３】
前記医療検査機器を使用して前記患部を検査される患者を個別に識別する患者識別情報を有する患者識別媒体を備える請求項１または２に記載の医療検査機器稼働履歴管理システム。
【請求項４】
前記各媒体の少なくとも一つは、前記各識別情報に関連づけられたバーコードの記された紙状媒体である請求項１から３のいずれか１項に記載の医療検査機器稼働履歴管理システム。
【請求項５】
前記各媒体の少なくとも一つは、前記各識別情報に関連づけられた電子情報を記憶するＩＣチップである請求項１から４のいずれか１項に記載の医療検査機器稼働履歴管理システム。
【発明の詳細な説明】
【技術分野】
【０００１】
本発明に係る実施形態は、医療検査機器稼働履歴管理システムに関する。
【背景技術】
【０００２】
今日、医療で使用される検査機器（以下、単に「医療検査機器」と呼ぶ）に関する健全な利用や、安全な使用などの機運が高まっている。例えば、医療法が改正されて医療検査機器を含む医療機器に対する安全使用を確保するために責任者の設置が義務化された。
【０００３】
なお、医療検査機器は、例えば、患者にＸ線を曝射して体内断層像を撮影するＸ線ＣＴ装置、患者体内の原子核の磁気共鳴現象を利用して体内断層像を撮影するＭＲＩ装置（核磁気共鳴断層撮影装置）、患者の体内に投与したＲＩ（放射性同位元素）からの放射線を検出してＲＩ分布を測定するガンマカメラ装置、超音波診断装置などがある。
【０００４】
医療検査機器の稼働履歴は、医療検査機器の安全な使用の基礎的な情報の一部である。そこで、医療検査機器の使用を開始または終了する検査者のアクセス権に対応させて、医療検査機器を遠隔で起動または停止を行い、当該医療検査機器の稼働履歴を収集し、記録する医用システムが知られている。
【先行技術文献】
【特許文献】
【０００５】
【特許文献１】特開２００６−２９６４７７号公報
【発明の概要】
【発明が解決しようとする課題】
【０００６】
従来の医用システムは、医療検査機器の稼働履歴を収集、記録するために、医療検査機器を遠隔で起動および停止させるための仕組みを備える必要がある。つまり、既製の医療検査機器が遠隔起動・停止に対応していない場合、従来の医用システムは、既製の医療検査機器に遠隔で起動および停止させるための仕組みを追加することを要する。この場合、当該仕組みの追加が、医療検査機器の本来的な機能（患者を検査する機能）に悪影響を及ぼす懸念がある。
【０００７】
他方、既製の医療検査機器の稼働履歴を紙の台帳へ筆記で記録することは、正確な医療検査機器の稼働履歴の作成を困難にするとともに、医療検査機器の使用者（つまり、検査者）に多大な労力を要求する。
【０００８】
そこで、本発明は、医療検査機器の本来的な機能をそのままに、医療検査機器稼働履歴の容易な作成と、確実な管理を可能とする医療検査機器稼働履歴管理システムを提供することを目的とする。
【課題を解決するための手段】
【０００９】
前記の課題を解決するため本発明の実施形態に係る医療検査機器稼働履歴管理システムは、医療検査機器の稼働履歴を記録する医療検査機器稼働履歴管理システムにおいて、前記医療検査機器を個別に識別する機器識別情報を有する機器用識別媒体と、前記医療検査機器で検査する患部を個別に識別する患部識別情報を有する患部識別媒体と、前記医療検査機器とは個別に取り扱われ、かつ前記各媒体から前記各識別情報を読み取り順に記憶可能であり、前記各識別情報のうち少なくとも前記機器識別情報を読み取ったときには日時情報を関連付けるとともに前記機器識別情報の始めの読み取りで検査開始情報を関連付け、前記機器識別情報の次の読み取りで検査終了情報を関連付けて記憶する端末装置と、電気通信回線を介して前記端末装置から前記各識別情報、前記日時情報、前記検査開始情報、前記検査終了情報を収集し、前記検査開始情報に関連付けられる前記日時情報と前記検査終了情報に関連付けられる前記日時情報との時間差が予め定める所定の時間以内の場合には、前記検査開始情報に関連付けられる前記機器識別情報と前記検査終了情報に関連付けられる前記機器識別情報との間に挟まれ記憶される前記各識別情報に基づいて前記医療検査機器の稼働時間、前記稼働時間に関連付けられる前記医療検査機器、前記患部を判別して前記稼働履歴として管理する医療機器稼働履歴サーバーと、を備える。
【図面の簡単な説明】
【００１０】
【図１】本発明の実施形態に係る医療検査機器稼働履歴管理システムを示すブロック図。
【図２】本発明の実施形態に係る医療検査機器稼働履歴管理システムとその運用工程とを示す概念図。
【図３】本発明の実施形態に係る医療検査機器稼働履歴管理システムの端末装置から医療機器稼働履歴サーバーへ送信される電子データの一例を示す図。
【図４】本発明の実施形態に係る医療検査機器稼働履歴管理システムの運用工程を示すフローチャート。
【図５】本発明の実施形態に係る医療検査機器稼働履歴管理システムの稼働履歴情報登録処理を示すフローチャート。
【図６】本発明の実施形態に係る医療検査機器稼働履歴管理システムの稼働履歴情報集計処理結果の一例を示す図。
【図７】本発明の実施形態に係る医療検査機器稼働履歴管理システムの稼働履歴情報集計処理結果の一例を示す図。
【図８】本発明の実施形態に係る医療検査機器稼働履歴管理システムの稼働履歴情報集計処理結果の一例を示す図。
【図９】本発明の実施形態に係る医療検査機器稼働履歴管理システムの稼働履歴情報集計処理結果の一例を示す図。
【図１０】本発明の実施形態に係る医療検査機器稼働履歴管理システムの稼働履歴情報集計処理結果の一例を示す図。
【発明を実施するための形態】
【００１１】
本発明に係る医療検査機器稼働履歴管理システムの実施形態について、図１から図１０を参照して説明する。
【００１２】
図１は、本発明の実施形態に係る医療検査機器稼働履歴管理システムを示すブロック図である。
【００１３】
図１に示すように、本実施形態に係る医療検査機器稼働履歴管理システム１は、医療検査機器２の稼働履歴を記録する。一般的に、医療検査機器２は病院Ｈ内に複数設置されるが、１つでも良い。医療検査機器稼働履歴管理システム１は、汎用端末３に医療検査機器２の稼働履歴を提供できる。医療検査機器稼働履歴管理システム１、汎用端末３は、病院Ｈ内に敷設される電気通信回線Ｅを介して双方向に通信できる。
【００１４】
汎用端末３は所謂パーソナルコンピュータで有り、電気通信回線Ｅを介して医療検査機器稼働履歴管理システム１から医療検査機器２の稼働履歴そのもの、あるいは医療検査機器２の稼働履歴を集計処理して整えたものを取得しブラウザ等のアプリケーションで表示する。
【００１５】
電気通信回線Ｅはイーサネット（登録商標）を利用したローカル・エリア・ネットワーク（Ｌｏｃａｌ  Ａｒｅａ  Ｎｅｔｗｏｒｋ）である。なお、電気通信回線Ｅは、インターネットに代表される公衆回線等を含み、複数の病院Ｈ間や一般家庭などの病院Ｈ外との通信を行えるものであっても良い。また、電気通信回線Ｅは、有線通信回線であっても良いし、無線通信回線であっても良いし、有線通信回線と無線通信回線とを組み合わせたものであっても良い。
【００１６】
医療検査機器稼働履歴管理システム１は、医療検査機器２ごとに配置される端末装置５と、電気通信回線Ｅを介して端末装置５との間で通信可能に接続される医療機器稼働履歴サーバー６と、を備える。
【００１７】
端末装置５は医療検査機器２の近傍、例えば医療検査機器２を使用する検査者が容易に手に取ることのできる範囲に設置されることが好ましい。
【００１８】
医療機器稼働履歴サーバー６は電気通信回線Ｅを介して端末装置５から医療検査機器２の稼働履歴を収集する。医療機器稼働履歴サーバー６は収集した医療検査機器２の稼働履歴を保存する医療機器稼働履歴データベース７を備える。
【００１９】
また、医療機器稼働履歴サーバー６は、汎用端末３の処理要求に応じて医療機器稼働履歴データベース７に保存されている稼働履歴を処理し、汎用端末３のブラウザで表示可能な形式に整えて汎用端末３へ送信する。
【００２０】
図２は、本発明の実施形態に係る医療検査機器稼働履歴管理システムとその運用工程とを示す概念図である。
【００２１】
図３は、本発明の実施形態に係る医療検査機器稼働履歴管理システムの端末装置から医療機器稼働履歴サーバーへ送信される電子データの一例を示す図である。
【００２２】
図２に示すように、本実施形態に係る医療検査機器稼働履歴管理システム１は、端末装置５、医療機器稼働履歴サーバー６の他に、機器用識別媒体１１と、患部識別媒体１２と、検査者識別媒体１３と、患者識別媒体１５と、を備える。
【００２３】
機器用識別媒体１１は、医療検査機器２（例えば、超音波検査装置）を個別に識別する機器識別情報１１ａを有する。
【００２４】
患部識別媒体１２は、医療検査機器２で検査する患部ＡＰを個別に識別する患部識別情報１２ａを有する。
【００２５】
機器用識別媒体１１、患部識別媒体１２は、医療検査機器２に備え付けられていたり、医療検査機器２の外面に貼付されていたり、医療検査機器２に結び付けられていたりすることで、常に医療検査機器２に随伴されていることが好ましい。
【００２６】
検査者識別媒体１３は、医療検査機器２を使用して患部ＡＰを検査する検査者ＭＰを個別に識別する検査者識別情報１３ａを有する。検査者識別媒体１３は病院Ｈの従業員証を兼ねるなどして検査者ＭＰに常時携行されていることが好ましい。
【００２７】
患者識別媒体１５は、医療検査機器２を使用して患部ＡＰを検査される患者Ｐを個別に識別する患者識別情報１５ａを有する。
【００２８】
なお、検査者識別媒体１３、検査者識別情報１３ａ、患者識別媒体１５、患者識別情報１５ａは医療検査機器２の稼働履歴の観点からは必須ではない。
【００２９】
機器識別情報１１ａ、患部識別情報１２ａ、検査者識別情報１３ａ、患者識別情報１５ａのそれぞれは、識別対象毎、互いに異なる識別子に対応付けられる。医療検査機器稼働履歴管理システム１は、識別子によって医療検査機器２、患部ＡＰ、検査者ＭＰ、患者Ｐを一意に識別する。具体的には、機器識別情報１１ａ、患部識別情報１２ａ、検査者識別情報１３ａ、患者識別情報１５ａのそれぞれは、バーコード（１次元バーコード、２次元コード）やＩＣチップによって表現される。本実施形態では、１次元バーコードで機器識別情報１１ａ、患部識別情報１２ａ、検査者識別情報１３ａ、患者識別情報１５ａを表現する。
【００３０】
機器用識別媒体１１、患部識別媒体１２、検査者識別媒体１３、患者識別媒体１５の少なくとも一つは各識別情報（機器識別情報１１ａ、患部識別情報１２ａ、検査者識別情報１３ａ、患者識別情報１５ａ）に関連づけられたバーコードの記された紙状媒体である。また、機器用識別媒体１１、患部識別媒体１２、検査者識別媒体１３、患者識別媒体１５の少なくとも一つは各識別情報に関連づけられた電子情報を記憶するＩＣチップであっても良い。これらの他、機器用識別媒体１１、患部識別媒体１２、検査者識別媒体１３、患者識別媒体１５は端末装置５で読み取ることが容易なものであれば良い。
【００３１】
端末装置５は医療検査機器２とは個別に取り扱われる。端末装置５は、各媒体（機器用識別媒体１１、患部識別媒体１２、検査者識別媒体１３、患者識別媒体１５）から各識別情報を読み取り順に記憶可能である。端末装置５は、各識別情報のうち少なくとも機器識別情報１１ａを読み取ったときには日時情報ＹＭＤｈｍｓを関連付けるとともに、機器識別情報１１ａの始めの読み取りで検査開始情報ＳＴＡＲＴを関連付け、機器識別情報１１ａの次の読み取りで検査終了情報ＥＮＤを関連付けて記憶する。日時情報ＹＭＤｈｍｓは年月日と時刻とを組み合わせた情報である。また、端末装置５は一旦、検査終了情報ＥＮＤを記憶すると次の機器識別情報１１ａを始めの読み取り（つまり検査開始情報ＳＴＡＲＴを関連付ける読み取り）として識別する。
【００３２】
端末装置５はバーコードを読み取り可能なハンディターミナルや、ＩＣチップが記憶する電子情報を読み取り可能なＩＣタグリーダーである。端末装置５は読み取った各識別情報を表示したり、各識別情報の読み取りを検査者ＭＰに指示したりする表示部１７を備える。端末装置５は充電器を兼ねるクレードル１８に据え付けることなどによって、予め定める所定の時刻に取得済みの各情報（機器識別情報１１ａ、患部識別情報１２ａ、検査者識別情報１３ａ、患者識別情報１５ａ、日時情報ＹＭＤｈｍｓ、検査開始情報ＳＴＡＲＴ、検査終了情報ＥＮＤ）を医療機器稼働履歴サーバー６へ送信する。クレードル１８は電気通信回線Ｅと端末装置５との通信を中継する。
【００３３】
図２に加えて図３に示すように、本実施形態に係る医療検査機器稼働履歴管理システム１の端末装置５は、日時列、機器コード列、レコード種別列、値列を有する表形式の電子データで各情報を格納する。この電子データは例えばＣＳＶ（Ｃｏｍｍａ−Ｓｅｐａｒａｔｅｄ  Ｖａｌｕｅｓ）である。電子データのそれぞれの行は、端末装置５による機器識別情報１１ａ、患部識別情報１２ａ、検査者識別情報１３ａ、患者識別情報１５ａのいずれかひとつの読み取りに対応する。
【００３４】
日時列は、端末装置５が機器識別情報１１ａ、患部識別情報１２ａ、検査者識別情報１３ａ、患者識別情報１５ａを読み取った日時情報ＹＭＤｈｍｓを格納する。
【００３５】
機器コード列は、端末装置５が機器識別情報１１ａの始めの読み取りで検査開始情報ＳＴＡＲＴを関連付け、機器識別情報１１ａの次の読み取りで検査終了情報ＥＮＤを関連付けるまでに読み取る患部識別情報１２ａ、検査者識別情報１３ａ、患者識別情報１５ａに機器識別情報１１ａを関連付けて格納する。
【００３６】
レコード種別列は、機器識別情報１１ａに関連付けられる検査開始情報ＳＴＡＲＴ、機器識別情報１１ａに関連付けられる検査終了情報ＥＮＤ、患部識別情報１２ａを識別するための情報（例えば、識別情報ＫｅｎｓａＢｕｉ）、検査者識別情報１３ａを識別するための情報（例えば、識別情報ＫｅｎｓａＳｈａ）、患者識別情報１５ａを識別するための情報（例えば、識別情報Ｋａｎｊｙａ）のいずれかを格納する。
【００３７】
値列は、機器識別情報１１ａ、患部識別情報１２ａ、検査者識別情報１３ａ、患者識別情報１５ａのいずれかを格納する。
【００３８】
図２に戻って、本実施形態に係る医療機器稼働履歴サーバー６は、電気通信回線Ｅを介して端末装置５から各識別情報、日時情報ＹＭＤｈｍｓ、検査開始情報ＳＴＡＲＴ、検査終了情報ＥＮＤを収集する。そして、医療機器稼働履歴サーバー６は、検査開始情報ＳＴＡＲＴに関連付けられる日時情報ＹＭＤｈｍｓと検査終了情報ＥＮＤに関連付けられる日時情報ＹＭＤｈｍｓとの時間差Δｔが予め定める所定の時間Ｔｓ以内の場合には、検査開始情報ＳＴＡＲＴに関連付けられる機器識別情報１１ａ（例えば、ＩＤ＝Ａ００１）と検査終了情報ＥＮＤに関連付けられる機器識別情報１１ａ（例えば、ＩＤ＝Ａ００１）との間に挟まれ記憶される各識別情報に基づいて医療検査機器２（例えば、ＩＤ＝Ａ００１）の稼働時間ＯＨ、稼働時間ＯＨに関連付けられる医療検査機器２（例えば、ＩＤ＝Ａ００１）、検査者ＭＰ（例えば、ＩＤ＝ａ００１２７１９）、患部ＡＰ（例えば、ＩＤ＝ＢＵＩ００２）、患者Ｐ（図示省略）を判別して稼働履歴として医療機器稼働履歴データベース７に保存し、管理する。
【００３９】
つまり、医療機器稼働履歴サーバー６は、ある検査開始情報ＳＴＡＲＴに関連付けられた稼働時間ＯＨから、当該検査開始情報ＳＴＡＲＴより後に始めて表れる検査終了情報ＥＮＤに関連付けられた稼働時間ＯＨまでを１回の稼働履歴として束ね、当該検査開始情報ＳＴＡＲＴと当該検査終了情報ＥＮＤに挟まれた各識別情報を当該稼働履歴に関連付ける。
【００４０】
図４は、本発明の実施形態に係る医療検査機器稼働履歴管理システムの運用工程を示すフローチャートである。
【００４１】
図２および図３に加えて図４に示すように、本実施形態に係る医療検査機器稼働履歴管理システム１は、先ず、医療検査機器２の使用に先立ち検査者ＭＰに端末装置５で機器用識別媒体１１の読み取りを指示する（ステップＳ１）。この指示にしたがって検査者ＭＰが端末装置５で機器用識別媒体１１を読み取ると、端末装置５は機器識別情報１１ａ（例えば、ＩＤ＝Ａ００１）に検査開始情報ＳＴＡＲＴ、読み取り時の日時情報ＹＭＤｈｍｓを関連付けて一時的に記憶する。
【００４２】
次いで、医療検査機器稼働履歴管理システム１は、検査者ＭＰに端末装置５で患部識別媒体１２の読み取りを指示する（ステップＳ２）。この指示にしたがって検査者ＭＰが端末装置５で患部識別媒体１２を読み取ると、端末装置５は患部識別情報１２ａ（例えば、ＩＤ＝ＢＵＩ００２）に、識別情報ＫｅｎｓａＢｕｉ、読み取り時の日時情報ＹＭＤｈｍｓを関連付けて一時的に記憶する。
【００４３】
次いで、医療検査機器稼働履歴管理システム１は、検査者ＭＰに端末装置５で検査者識別媒体１３の読み取りを指示する（ステップＳ３）。この指示にしたがって検査者ＭＰが端末装置５で検査者識別媒体１３を読み取ると、端末装置５は検査者識別情報１３ａ（例えば、ＩＤ＝ａ００１２７１９）に、識別情報ＫｅｎｓａＳｈａ、読み取り時の日時情報ＹＭＤｈｍｓを関連付けて一時的に記憶する。
【００４４】
次いで、医療検査機器稼働履歴管理システム１は、検査者ＭＰに端末装置５で患者識別媒体１５の読み取りを指示する（ステップＳ４）。この指示にしたがって検査者ＭＰが端末装置５で患者識別媒体１５を読み取ると、端末装置５は患者識別情報１５ａに、識別情報Ｋａｎｊａ、読み取り時の日時情報ＹＭＤｈｍｓを関連付けて一時的に記憶する。
【００４５】
ここまで行うと、医療検査機器稼働履歴管理システム１は、検査者ＭＰに端末装置５で患者Ｐの検査を促す。これにしたがって検査者ＭＰは医療検査機器２で患者Ｐの患部ＡＰを検査する。この間、医療検査機器稼働履歴管理システム１は、検査の終了を待機する（ステップＳ５）。
【００４６】
待機中の医療検査機器稼働履歴管理システム１は、検査の終了を見越して適宜の時間が経過した後、検査者ＭＰに端末装置５で機器用識別媒体１１の読み取りを指示する（ステップＳ６）。検査の終了後、端末装置５の指示にしたがって検査者ＭＰが端末装置５で機器用識別媒体１１を読み取ると、端末装置５は機器識別情報１１ａ（例えば、ＩＤ＝Ａ００１）に検査終了情報ＥＮＤ、読み取り時の日時情報ＹＭＤｈｍｓを関連付けて一時的に記憶する。端末装置５はステップＳ１からステップＳ６までで読み取った各情報をひとまとまりの電子データ（図３）として一時的に保存する。また、端末装置５は次ステップ（ステップＳ７）の開始より前にステップＳ１からステップＳ６までを複数回繰り返した場合、ひとまとまりの電子データに追加し、一括して記憶する。
【００４７】
そして、検査者ＭＰがクレードル１８に端末装置５を据え付けると、端末装置５は予め定められる適宜の時刻に医療機器稼働履歴サーバー６へステップＳ１からステップＳ６までで読み取った各情報をひとまとまりの電子データとして送信する（ステップＳ７）。
【００４８】
そうすると、医療機器稼働履歴サーバー６は、ひとまとまりの電子データに登録判定処理を施し、医療検査機器２の稼働履歴情報として適切な情報を医療機器稼働履歴データベース７に登録する（ステップＳ８）。
【００４９】
また、医療機器稼働履歴サーバー６は、医療機器稼働履歴データベース７に保存されている稼働履歴を管理して、「医療機器稼働率＜日報＞集計」、「医療機器稼働率＜週報・月報＞集計」、「医療機器稼働率＜年報＞集計」、「特定医療機器稼働率管理表＜月報＞集計」、「特定医療機器稼働率管理表＜年報＞集計」のそれぞれを集計する（ステップＳ９）。
【００５０】
次に、医療機器稼働履歴サーバー６による医療検査機器２の稼働履歴情報の登録処理（ステップＳ８）について詳細に説明する。
【００５１】
図５は、本発明の実施形態に係る医療検査機器稼働履歴管理システムの稼働履歴情報登録処理を示すフローチャートである。図５に示す稼働履歴情報登録処理は、図２および図４におけるステップＳ８の詳細な内容である。
【００５２】
なお、医療機器稼働履歴サーバー６は、端末装置５が複数ある場合、つまり端末装置５から受信する電子データ（図３）が複数ある場合には、それぞれの電子データについて同様の処理を行い医療検査機器２ごとの稼働履歴情報を医療機器稼働履歴データベース７へ登録する。
【００５３】
図５に示すように、本実施形態に係る医療機器稼働履歴サーバー６は、電子データの先頭行から順に電子データの終端情報ＥＯＦまで繰り返し、適切な情報を格納しているか否かを判定し、適切な場情報を格納している行を医療機器稼働履歴データベース７に登録する。
【００５４】
具体的には、医療機器稼働履歴サーバー６は、先ず判定範囲開始行Ｒｒ＝１に設定する（ステップＳ１１）。
【００５５】
次いで、医療機器稼働履歴サーバー６は、判定範囲開始行Ｒｒから終端情報ＥＯＦまでの各行を昇順に検索する。医療機器稼働履歴サーバー６は、この検索範囲の中でレコード種別列に検査開始情報ＳＴＡＲＴが最初に格納されている行の行番号を履歴対象範囲先頭行Ｒｓにするとともに、履歴対象範囲先頭行Ｒｓに格納されている機器識別情報１１ａを履歴対象機器Ｅにする（ステップＳ１２）。なお、判定範囲開始行Ｒｒから終端情報ＥＯＦまでの検索範囲に検査開始情報ＳＴＡＲＴが見つからなかった場合、履歴対象範囲先頭行Ｒｓは終端情報ＥＯＦになる。
【００５６】
次いで、医療機器稼働履歴サーバー６は、履歴対象範囲先頭行Ｒｓが終端情報ＥＯＦと同じか否かを判定する。つまり、医療機器稼働履歴サーバー６は、判定範囲開始行Ｒｒから終端情報ＥＯＦまでの検索範囲に検査開始情報ＳＴＡＲＴが見つからず、検索対象行が終端情報ＥＯＦに達しているか否かを判定する。医療機器稼働履歴サーバー６は、検索対象行が終端情報ＥＯＦに達している場合には稼働履歴情報の登録処理を終了する。その他の場合には、医療機器稼働履歴サーバー６は、次ステップ（ステップＳ１４）へ処理を進める（ステップＳ１３）。
【００５７】
次いで、医療機器稼働履歴サーバー６は、履歴対象範囲先頭行Ｒｓから終端情報ＥＯＦまでの各行を昇順に検索する。医療機器稼働履歴サーバー６は、この検索範囲の中でレコード種別列に検査終了情報ＥＮＤが最初に格納され、かつ値列に履歴対象機器Ｅと同じ機器識別情報１１ａが格納されている行の行番号を履歴対象範囲末尾行Ｒｅにする（ステップＳ１４）。
【００５８】
次いで、医療機器稼働履歴サーバー６は、（履歴対象範囲先頭行Ｒｓ＋１行）から（履歴対象範囲末尾行Ｒｅ−１行）までを昇順に検索し、この検索範囲の中でレコード種別列に検査開始情報ＳＴＡＲＴを格納している行が存在するか否かを判定する（ステップＳ１５）。医療機器稼働履歴サーバー６は、この検索範囲の中でレコード種別列に検査開始情報ＳＴＡＲＴを格納している行が存在する場合（ステップＳ１５、ＹＥＳ）、判定範囲開始行Ｒｒ＝当該行（ステップＳ１５における検索範囲の中でレコード種別列に検査開始情報ＳＴＡＲＴを格納している行）の行番号に設定して（ステップＳ１６）、ステップＳ２に戻る。他方、医療機器稼働履歴サーバー６は、この検索範囲の中でレコード種別列に検査開始情報ＳＴＡＲＴを格納している行が存在しない場合（ステップＳ１５、ＮＯ）、次ステップ（ステップＳ１７）へ進む。
【００５９】
次いで、医療機器稼働履歴サーバー６は、（履歴対象範囲先頭行Ｒｓ＋１行）から（履歴対象範囲末尾行Ｒｅ−１行）までを昇順に検索し、この検索範囲の中でレコード種別列に、少なくとも患部識別情報１２ａを識別するための情報（例えば、識別情報ＫｅｎｓａＢｕｉ）を格納している行が存在するか否かを判定する（ステップＳ１７）。医療機器稼働履歴サーバー６は、この検索範囲の中でレコード種別列に患部識別情報１２ａを識別するための情報を格納している行が存在する場合（ステップＳ１７、ＹＥＳ）、次ステップ（ステップＳ１８）へ進む。他方、医療機器稼働履歴サーバー６は、この検索範囲の中でレコード種別列に患部識別情報１２ａを識別するための情報を格納している行が存在しない場合（ステップＳ１７、ＮＯ）、判定範囲開始行Ｒｒ＝（履歴対象範囲末尾行Ｒｅ＋１行）の行番号に設定して（ステップＳ１９）、ステップＳ２に戻る。
【００６０】
次いで、医療機器稼働履歴サーバー６は、履歴対象範囲先頭行Ｒｓから履歴対象範囲末尾行Ｒｅまでの行に格納されている検査開始時間（検査開始情報ＳＴＡＲＴを格納する行の日時情報ＹＭＤｈｍｓ）、検査終了時間（検査終了情報ＥＮＤを格納する行の日時情報ＹＭＤｈｍｓ）、機器識別情報１１ａ、患部識別情報１２ａ、検査者識別情報１３ａ、患者識別情報１５ａを医療機器稼働履歴データベース７に保存する（ステップＳ１８）。なお、患部識別情報１２ａ、検査者識別情報１３ａ、患者識別情報１５ａのそれぞれが複数存在する場合には、医療機器稼働履歴サーバー６は、最新時刻の情報を医療機器稼働履歴データベース７に保存する。
【００６１】
また、医療機器稼働履歴サーバー６は、履歴対象範囲先頭行Ｒｓから履歴対象範囲末尾行Ｒｅまでの行に格納されている検査開始時間（検査開始情報ＳＴＡＲＴを格納する行の日時情報ＹＭＤｈｍｓ）と検査終了時間（検査終了情報ＥＮＤを格納する行の日時情報ＹＭＤｈｍｓ）との時間差Δｔが予め定める所定の時間Ｔｓ（例えば、２時間）以内の場合には、履歴対象範囲先頭行Ｒｓから履歴対象範囲末尾行Ｒｅまでの行に格納されている検査開始時間（検査開始情報ＳＴＡＲＴを格納する行の日時情報ＹＭＤｈｍｓ）、検査終了時間（検査終了情報ＥＮＤを格納する行の日時情報ＹＭＤｈｍｓ）、機器識別情報１１ａ、患部識別情報１２ａ、検査者識別情報１３ａ、患者識別情報１５ａを医療機器稼働履歴データベース７に保存する。他方、医療機器稼働履歴サーバー６は、履歴対象範囲先頭行Ｒｓから履歴対象範囲末尾行Ｒｅまでの行に格納されている検査開始時間（検査開始情報ＳＴＡＲＴを格納する行の日時情報ＹＭＤｈｍｓ）と検査終了時間（検査終了情報ＥＮＤを格納する行の日時情報ＹＭＤｈｍｓ）との時間差Δｔが予め定める所定の時間Ｔｓ（例えば、２時間）を超える場合（つまり、検査開始情報ＳＴＡＲＴと対になる検査終了情報ＥＮＤが予め定める所定の時間Ｔｓ以内に記憶されていない場合）には、検査終了時間を検査開始時間から予め定める所定の時間Ｔｓ後に設定（つまり、予め定める所定の時間Ｔｓを稼働時間に設定）して、履歴対象範囲先頭行Ｒｓから履歴対象範囲末尾行Ｒｅまでの行に格納されている検査開始時間（検査開始情報ＳＴＡＲＴを格納する行の日時情報ＹＭＤｈｍｓ）、検査終了時間（検査開始時間から所定の時間Ｔｓの経過日時）、機器識別情報１１ａ、患部識別情報１２ａ、検査者識別情報１３ａ、患者識別情報１５ａを医療機器稼働履歴データベース７に保存する。
【００６２】
そして、医療機器稼働履歴サーバー６は、判定範囲開始行Ｒｒ＝（履歴対象範囲末尾行Ｒｅ＋１行）の行番号に設定して（ステップＳ１９）、ステップＳ２に戻る。
【００６３】
次に、医療機器稼働履歴サーバー６による医療検査機器２の稼働履歴情報の集計処理（ステップＳ９）について詳細に説明する。
【００６４】
図６から図１０は、本発明の実施形態に係る医療検査機器稼働履歴管理システムの稼働履歴情報集計処理結果の一例を示す図である。  
図６は「医療機器稼働率＜日報＞集計」の一例を示す図である。  
図７は「医療機器稼働率＜週報・月報＞集計」の一例を示す図である。  
図８は「医療機器稼働率＜年報＞集計」の一例を示す図である。  
図９は「特定医療機器稼働率管理表＜月報＞集計」の一例を示す図である。  
図１０は「特定医療機器稼働率管理表＜年報＞集計」の一例を示す図である。
【００６５】
本実施形態に係る医療機器稼働履歴サーバー６は、医療機器稼働履歴データベース７に保存される医療検査機器２の稼働履歴情報を集計処理することで、図６から図１０に示す帳票を生成し、電気通信回線Ｅを介して汎用端末３へ送信することができる。
【００６６】
以上のように、本実施形態に係る医療検査機器稼働履歴管理システム１は、医療検査機器２とは個別に取り扱われる端末装置５と、少なくとも機器用識別媒体１１、患部識別媒体１２とを備えることによって、医療検査機器２を遠隔で起動や停止を行うことなく、医療検査機器２の稼働履歴を作成できる。しかも、医療検査機器稼働履歴管理システム１は、医療検査機器２が遠隔での起動や停止に対応していなくても医療検査機器２の稼働履歴を作成できるため、医療検査機器２に遠隔での起動や停止を行う仕組みを組み込んだり追加したりする必要がない。
【００６７】
また、本実施形態に係る医療検査機器稼働履歴管理システム１は、機器用識別媒体１１、患部識別媒体１２を端末装置５で読み取ることができれば、医療検査機器２の稼働履歴を作成できるため、医療検査機器２の稼働履歴を台帳へ筆記で記録する場合に比べて検査者ＭＰの負担を極めて軽減できるとともに、正確で確実な医療検査機器２の稼働履歴を作成できる。
【００６８】
さらに、本実施形態に係る医療検査機器稼働履歴管理システム１は、医療検査機器２で検査を開始するときに端末装置５で機器用識別媒体１１を読み取り、検査を終了するときに端末装置５で機器用識別媒体１１を再度読み取ることで、医療検査機器２を使った一連の検査に関する情報を医療検査機器２の稼働履歴として纏めて保存することができるので、医療検査機器２の稼働履歴の可読性が高く、医療検査機器２の稼働履歴の利用や応用が容易になり、図６から図１０に示すような帳票管理も容易になる。
【００６９】
さらにまた、本実施形態に係る医療検査機器稼働履歴管理システム１は、検査者識別媒体１３、患者識別媒体１５を追加することで検査者識別情報１３ａ、患者識別情報１５ａを医療検査機器２の稼働履歴として保存し、稼働履歴情報の充実を図ることができる。
【００７０】
また、本実施形態に係る医療検査機器稼働履歴管理システム１は、機器用識別媒体１１、患部識別媒体１２、検査者識別媒体１３、患者識別媒体１５にバーコードやＩＣチップを使用するため、医療検査機器２の稼働履歴を台帳へ筆記で記録する場合に比べて検査者ＭＰの負担を極めて軽減できるとともに、正確で確実な医療検査機器２の稼働履歴を作成できる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１  医療検査機器稼働履歴管理システム
２  医療検査機器
３  汎用端末
５  端末装置
６  医療機器稼働履歴サーバー
７  医療機器稼働履歴データベース
１１  機器用識別媒体
１１ａ  機器識別情報
１２  患部識別媒体
１２ａ  患部識別情報
１３  検査者識別媒体
１３ａ  検査者識別情報
１５  患者識別媒体
１５ａ  患者識別情報
１７  表示部
１８  クレードル
【図１】
2014029637.tif 000003
【図２】
2014029637.tif 000004
【図３】
2014029637.tif 000005
【図４】
2014029637.tif 000006
【図５】
2014029637.tif 000007
【図６】
2014029637.tif 000008
【図７】
2014029637.tif 000009
【図８】
2014029637.tif 000010
【図９】
2014029637.tif 000011
【図１０】
2014029637.tif 000012